(57)【要約】【課題】  従来の無酸素水生成システムよりも脱酸素効率が優れ、採取掘進条件に応じて、任意混合比の不活性ガスを含有するコア採取ボーリング方法を提供することを目的とする。【解決手段】  無酸素状態の懸濁気泡水を生成する懸濁気泡水生成装置１００と、気泡水生成装置１００が生成した気泡水を用いてコアを掘削する掘削コア採取装置とを備えるコア採取ボーリングシステムであって、懸濁気泡水生成装置１００は、水に不活性ガスを混合して懸濁気泡水を生成する第１気液混合器１０８と、第１気液混合器１０８が生成した懸濁気泡水から気体を分離して無酸素水を生成する気液分離器１１２と、気液分離器１１２が生成した無酸素水に不活性ガスを混合して懸濁気泡水を生成する第２気液混合器１２６とを備える。【選択図】  図２
2006070619.tif 000002
【特許請求の範囲】
【請求項１】
水中酸素濃度が無酸素状態の懸濁気泡水を生成する懸濁気泡水生成装置と、前記懸濁気泡水生成装置が生成した前記懸濁気泡水を用いてコアを掘削する掘削コア採取装置とを備えるコア採取ボーリングシステムであって、
前記懸濁気泡水生成装置は、
原水に不活性ガスを混合して懸濁気泡水を生成する第１気液混合器と、
前記第１気液混合器が生成した前記懸濁気泡水から気体を分離して無酸素水を生成する気液分離器と、
前記気液分離器に残留する酸素を含むガスを脱気により排除するための脱気装置と、
前記気液分離器が生成した前記無酸素水に不活性ガスを混合して懸濁気泡水を生成する第２気液混合器とを備えることを特徴とするコア採取ボーリングシステム。
【請求項２】
請求項１記載のコア採取ボーリングシステムにおいて、前記第１又は第２気液混合器は、前記不活性ガスの泡を前記原水又は無酸素水に分散させて混合するそれぞれ第１又は第2泡分散要素を備えることを特徴とするコア採取ボーリングシステム。
【請求項３】
請求項２記載のコア採取ボーリングシステムにおいて、前記第１又は第２気液混合器は、前記泡分散要素の下方から気体と前記原水又は無酸素水とを混合した状態で供給することを特徴とするコア採取ボーリングシステム。    
【請求項４】
請求項１乃至３の何れか一項に記載のコア採取ボーリングシステムにおいて、前記気液分離器はサイクロン式気液分離装置により気液分離を行うことを特徴とするコア採取ボーリングシステム。
【請求項５】
請求項１乃至３の何れか一項に記載のコア採取ボーリングシステムにおいて、前記気液分離器は、前記第１気液混合器が生成した前記懸濁気泡水が衝突して気液分離を行う衝突材と脱気を行う脱気装置を備えることを特徴とするコア採取ボーリングシステム。
【請求項６】
請求項１乃至５の何れか一項に記載のコア採取ボーリングシステムおいて、前記気液分離器によって生成した無酸素水を、前記第２気液混合器を介さずに直接前記掘削コア採取装置に供給することを特徴とするコア採取ボーリングシステム。
【請求項７】
請求項１乃至６の何れか一項に記載のコア採取ボーリングシステムにおいて、
前記掘削コア採取装置は、先端に錘冠を備えた回転可能な管状のダブルコアチューブと、前記ダブルコアチューブの内側下端に配置されるインナーチューブと、前記ダブルコアチューブ内へ圧送された前記懸濁気泡水又は前記無酸素水が前記ダブルコアチューブの内側から当該ダブルコアチューブの内面と前記インナーチューブの外面との間を通過し、前記ダブルコアチューブの先端を介して前記ダブルコアチューブの外面に沿って地上にスライムと共に排出される経路とを備えることを特徴とするコア採取ボーリングシステム。
【請求項８】
請求項７記載のコア採取ボーリングシステムにおいて、前記錘冠はダイヤモンドビットあるいはメタルクラウンであることを特徴とするコア採取ボーリングシステム。
【請求項９】
請求項１乃至８記載のコア採取ボーリングシステムにおいて、前記不活性ガスが、窒素、アルゴン、微量の水素を含むアルゴンの少なくとも一つを含むことを特徴とするコア採取ボーリングシステム。
【請求項１０】
請求項１乃至９記載のコア採取ボーリングシステムにおいて、前記第２気液混合器における前記無酸素水と前記不活性ガスとの混合比を変更可能とすることを特徴とするコア採取ボーリングシステム。
【請求項１１】
コアの掘削又は掘削されたコアの処理に用いる懸濁気泡水を生成する懸濁気泡水生成装置であって、
原水に不活性ガスを混合して懸濁気泡水を生成する第１気液混合器と、
前記第１気液混合器が生成した前記懸濁気泡水から気体を分離して無酸素水を生成するための気液分離器とを備えることを特徴とする懸濁気泡水生成装置。
【請求項１２】
コアの掘削又は掘削されたコアの処理に用いる水中酸素濃度が無酸素状態の懸濁気泡水を生成する懸濁気泡水生成装置であって、
原水に不活性ガスを混合して懸濁気泡水を生成する第１気液混合器と、
前記第１気液混合器が生成した前記懸濁気泡水から気体を分離・脱気して無酸素水を生成するための気液分離器と、
前記気液分離器が生成した前記無酸素水に不活性ガスを混合して懸濁気泡水を生成する第２気液混合器とを備えることを特徴とする懸濁気泡水生成装置。
【請求項１３】
水中酸素濃度が無酸素状態の懸濁気泡水を生成する懸濁気泡水生成工程と、前記懸濁気泡水生成工程によって生成した懸濁気泡水を用いて掘削してコアを採取する掘削工程とを備えるコア採取ボーリング方法であって、
前記懸濁気泡水生成工程は、
原水に不活性ガスを混合して懸濁気泡水を生成する第１気液混合工程と、
前記第１気液混合工程で生成した前記懸濁気泡水から気体を分離・脱気して無酸素水を生成するための気液分離・脱気工程と、
前記気液分離・脱気工程で生成した前記無酸素水に不活性ガスを混合して懸濁気泡水を生成する第２気液混合工程とを備えることを特徴とするコア採取ボーリング方法。
【発明の詳細な説明】
【技術分野】
【０００１】
本発明は、地質調査又は水分地質調査用のコアの採取や調査ボーリング掘削に用いるコア採取ボーリングシステム及びコア採取ボーリング方法に関するものであり、特に、採取されるコアの酸素汚染を防止するために無酸素環境でのコア採取を実現するものである。
【背景技術】
【０００２】
原子力施設の立地・設計における環境安全事前評価用のコアとしては、酸素汚染のないものを採取する必要がある。また、一般環境調査や土木調査においても、地下水汚染の原因とされるクローム、砒素、マンガン等は、酸化によって化合物（イオン）の形が異なってしまうため、酸素存在下において採取されたコアサンプルでは、高精度な環境調査を行うことができない。さらに、地下微生物調査においても、嫌気性菌や好気性菌に対して、酸素は生存環境中の存在比・栄養物質の酸化影響をもたらし、酸素存在下において採取されたコアサンプルでは、高精度な環境調査を行うことができない。ましてや世界的に行われているように採取したコアサンプルに薬品等を添加し、還元的雰囲気を復元しようとする試みは、一旦コアサンプルに加えられた酸化的条件・経歴を無にできるものではなく、化学的汚染物質の添加あるいは生物学的には毒物を添加することに他ならない。
【０００３】
そこでコアサンプルを低酸素環境下においてボーリングにより採取するために、第１の従来技術として昇温脱酸素システムが考えられてきた。このシステムは、水を加熱して密封チャンバ内に供給し、密封チャンバの上部に位置する気層から気体を強制脱酸素することにより、一定の温度で一定量の液体に溶解する気体の量はその気体の圧力（分圧）に比例するというヘンリーの原則を利用して、水に懸濁または溶存する酸素を気相に追い出して低酸素水を作成し、この低酸素水をビット付きのロッド内へ圧送してコアサンプル周辺を低酸素環境にするというものである。
【０００４】
また、第２の従来技術として、気液混合筒とサイクロン型気液分離器に清水と不活性ガスを潜らせた後差圧弁によりガス放出する「気液混合筒・サイクロン気液分離器直結型」の無酸素水生成システム(以下サイクロン型装置という)が提案されている。
【０００５】
更に第３の従来技術として、本出願人により出願された特許文献１には、脱気清水と窒素とを界面活性剤とともに混合して掘削を行うことにより、無酸素でコアを採取するものがあった。
【特許文献１】特開２００２−２９５１６９号公報
【発明の開示】
【発明が解決しようとする課題】
【０００６】
第１の従来技術の方法では、水温をある程度高めに上昇させないと、水中に溶存している酸素を十分に取り除くことができない。しかしこれを実現するためには、大量の水を、高めの水温になるように加熱するのに大量のエネルギーを必要とするため、コスト高になってしまう。
【０００７】
また密封チャンバ内から温水を下流側に送水ポンプで送る際に、送水ポンプの上流側で気泡を生じがちであるため、キャビテーションの問題が生じる。従って、これを防止するために送水ポンプを密封チャンバに対して相対的に低い位置に設置しなければならず、そのための設備設置にも追加の費用と時間が掛かるという問題がある。
【０００８】
第２の従来技術の方法では、掘削用水中酸素濃度の管理が優先するために、酸素除去用不活性ガス混合量が支配的要因となり、円滑な掘削に必要な懸濁気泡水中ガス量の調整が事実上困難である(二律背反)。例えば、地質条件の変化や超深部掘進コア採取あるいは大口径コア採取のような幅広い掘削条件では掘削水調製条件を同時に管理することが困難であった。また、単一のサイクロン型装置で、懸濁気泡水中の不活性ガス混合比を任意に切替えて、掘削を実施することは到底できない。
【０００９】
そこで、本願出願人により特願２００３−１２４７８１号として、上記サイクロン型装置を２組備えそれぞれのサイクロン型装置に不活性ガスを吹込み、第１の装置から第２の装置へ両者間の圧力差で懸濁気泡水を送水し、２段または、それ以上の装置を組合せることにより、水中酸素濃度を低下させた懸濁気泡水をボーリングマシンに送り、無酸素コア採取行うという方法が提案されている。
【００１０】
しかし、この方法では、任意の不活性ガス混合比が得にくいばかりか、装置が複雑になるため、プロセス制御が困難である。現実的には、深地下コア採取や大口径コア採取には、両者間の送水量と不活性ガス混合比を常時最適化することが困難であり、掘進条件変化に即座に対応しがたいという問題点がある。
【００１１】
また、第３の従来技術である特許文献１に記載の方法では、界面活性剤の使用を前提としているため、コアが界面活性剤で汚染されて高精度な環境調査を行うことができない上に、任意の不活性ガス混合比を得ることもできなかった。
【００１２】
そこで本発明では、上記のいずれの無酸素水生成システムよりも、経済的にも脱酸素効率が優れ、界面活性剤を使用することなく懸濁気泡水を生成することができ、さらに掘削深度、口径等、あるいはダブルコアチューブ工法、三重管式工法、ワイヤライン工法間の切替・組合せ等のコア採取掘進条件に応じて、任意・適切な混合比の不活性ガスを含有するような懸濁気泡水を生成することが可能な、コア採取ボーリングシステム、懸濁気泡水生成装置及びコア採取ボーリング方法を提供することを目的とする。
【００１３】
さらに、本発明は、不活性ガスと無酸素水との混合比、掘削用の懸濁気泡水の送水量・送水圧を夫々独立に微調整が可能であり、さらに、無酸素水と懸濁気泡水とを即座に切替えることが可能な、コア採取ボーリングシステム、懸濁気泡水生成装置及びコア採取ボーリング方法を提供することを目的とする。
【課題を解決するための手段】
【００１４】
本発明のコア採取ボーリングシステムは上記課題を解決するものであって、請求項１記載の発明は、水中酸素濃度が無酸素状態の懸濁気泡水を生成する懸濁気泡水生成装置１００と、前記懸濁気泡水生成装置１００が生成した前記懸濁気泡水を用いてコアを掘削する掘削コア採取装置３００とを備えるコア採取ボーリングシステムであって、前記懸濁気泡水生成装置１００は、原水に不活性ガスを混合して懸濁気泡水を生成する第１気液混合器１０８と、前記第１気液混合器１０８が生成した前記懸濁気泡水から気体を分離・脱気して無酸素水を生成する気液分離器１１２と、前記気液分離器１１２が生成した前記無酸素水に不活性ガスを混合して懸濁気泡水を生成する第２気液混合器１２６とを備えることを特徴とする。
【００１５】
請求項２記載の発明は、請求項１記載のコア採取ボーリングシステムにおいて、前記第１又は第２気液混合器１０８，１２６は、前記不活性ガスの泡を前記原水又は無酸素水に分散させて混合する泡分散要素１４４，１４５を備えることを特徴とする。
【００１６】
請求項３記載の発明は、請求項２記載のコア採取ボーリングシステムにおいて、前記第１又は第２気液混合器１０８，１２６は、前記泡分散要素１４４，１４５の下方から不活性気体と原水又は無酸素水とを混合した状態で供給することを特徴とする。
【００１７】
請求項４記載の発明は、請求項１乃至３の何れか一項に記載のコア採取ボーリングシステムにおいて、前記気液分離器１１２はサイクロン式気液分離装置１５０により気液分離・脱気を行うことを特徴とする。
【００１８】
請求項５記載の発明は、請求項１乃至３の何れか一項に記載のコア採取ボーリングシステムにおいて、前記気液分離器１１２は、前記第１気液混合器１０８が生成した前記懸濁気泡水が衝突して気液分離を行う衝突材（衝突板）１１４と脱気を行う脱気装置１１６を備えることを特徴とする。
【００１９】
請求項６記載の発明は、請求項１乃至５の何れか一項に記載のコア採取ボーリングシステムにおいて、前記気液分離器１１２によって生成した無酸素水を、前記第２気液混合器１２６を介さずに直接前記掘削コア採取装置３００に供給することを特徴とする。
【００２０】
請求項７記載の発明は、請求項１乃至６の何れか一項に記載のコア採取ボーリングシステムにおいて、前記掘削コア採取装置３００は、先端に前記錐冠３３７を備えた回転可能な管状のダブルコアチューブ３８２と、前記ダブルコアチューブ３８２の内側下端に配置されるインナーチューブ３４３と、前記ダブルコアチューブ３８２内へ圧送された前記懸濁気泡水又は前記無酸素水が前記ダブルコアチューブ３８２を構成するアウターチューブ３４０の内面と前記インナーチューブ３４３の外面との間を通過し、前記ダブルコアチューブ３８２の先端を介して前記ダブルコアチューブ３８２の外面に沿ってスライムと共に地上に排出される経路とを備えることを特徴とする。
【００２１】
請求項８記載の発明は、前記錘冠３３７はダイヤモンドビットあるいはメタルクラウンであることを特徴とする。
請求項９記載の発明は、請求項１乃至８記載のコア採取ボーリングシステムにおいて、前記不活性ガスが、窒素またはアルゴン、微量の水素を含むアルゴンの少なくとも一つを含むことを特徴とする。
【００２２】
請求項１０記載の発明は、請求項１乃至９記載のコア採取ボーリングシステムにおいて、前記第２気液混合器１２６における前記無酸素水と前記不活性ガスとの混合比を変更可能とすることを特徴とする。
【００２３】
請求項１１記載の発明は、コアの掘削又は掘削されたコアの処理に用いる無酸素水を生成する懸濁気泡水生成装置１００であって、原水に不活性ガスを混合して懸濁気泡水を生成する第１気液混合器１０８と、前記第１気液混合器１０８が生成した前記懸濁気泡水から気体を分離・脱気して無酸素水を生成するための気液分離器１１２とを備える。
【００２４】
さらに、請求項１２記載の発明は、コアの掘削又は掘削されたコアの処理に用いる水中濃度が無酸素状態の懸濁気泡水を生成する懸濁気泡水生成装置１００であって、原水に不活性ガスを混合して懸濁気泡水を生成する第１気液混合器１０８と、前記第１気液混合器が生成した前記懸濁気泡水から気体を分離・脱気して無酸素水を生成する気液分離器１１２と、前記気液分離器１１２が生成した前記無酸素水に不活性ガスを混合して懸濁気泡水を生成する第２気液混合器１２６とを備えることを特徴とする。
【００２５】
請求項１３記載の発明は、水中濃度が無酸素状態の懸濁気泡水を生成する懸濁気泡水生成工程と、前記懸濁気泡水生成工程によって生成した懸濁気泡水を用いて掘削してコアを採取する掘削工程とを備えるコア採取ボーリング方法であって、前記気泡水生成工程は、原水に不活性ガスを混合して懸濁気泡水を生成する第１気液混合工程と、前記第１気液混合工程で生成した前記懸濁気泡水から気体を分離・脱気して無酸素水を生成する気液分・脱気脱気工程と、前記気液分離・脱気工程が生成した前記無酸素水に不活性ガスを混合して懸濁気泡水を生成する第２気液混合工程とを備えることを特徴とする。
【発明の効果】
【００２６】
本発明によれば、従来技術で困難であった掘削水中の酸素濃度管理のための不活性ガス量と、掘削コア採取装置先端部における自動スライム排除機能を確保する場合の不活性ガス量とについて、夫々独立に管理可能にし、特に大口径コア採取や超深度掘削あるいは不均質地層掘削に即座に対応可能であるという点で威力を発揮する。
【発明を実施するための最良の形態】
【００２７】
本発明のコア採取ボーリングシステム及びこれに用いる懸濁気泡水生成装置に関する実施の形態を、図面を参照して説明する。
〔コア採取及び処理システム〕
図１は本発明に係るコア採取ボーリングシステムを含むコア採取及び処理システムの全体構成を示す概略図である。コア採取及び処理システムは、大別すると、水中酸素濃度が無酸素状態の懸濁気泡水を生成する懸濁気泡水生成装置１００と、前記懸濁気泡水を用いて地層からコアを採取する掘削コア採取装置３００と、掘削コア採取装置３００から採取されたコアを無酸素水又は懸濁気泡水中で密封して仮包装するために地表付近に設置される密封仮包装部６００と、密封仮包装部６００により仮包装されたコアを無酸素状態で加工するコア取扱装置２００と、コア取扱装置２００により加工されたコアを無酸素状態で無酸素水と共に加圧保存する三次元加圧保存用セル４００と、三次元加圧保存用セル４００が接続される手袋付き無酸素コア加工ボックス５００とから構成される。
〔懸濁気泡水生成装置〕
本発明に係る懸濁気泡水生成装置１００を図２に示して説明する。原水タンク１０２中には原水として地下水又は表層水、やむを得ない場合には水道水が貯留されており、原水タンク１０２は地下水の沈砂池としても使用している。原水タンク１０２に貯留された原水は、送水ポンプ１０４により給水管を介して、不活性ガスで懸濁した気泡水を生成する第１気液混合器１０８に連続的に圧送される。不活性ガスボンベ１１０が第１気液混合器１０８の外部に配置されており、不活性ガスボンベ１１０と第１気液混合器１０８とはガス供給管で接続されている。第１気液混合器１０８には、原水の供給と同時に不活性ガスボンベ１１０からガス供給管を介して、不活性ガスが連続的に一定混合比率で供給される。従って、第１気液混合器１０８中では、以下に述べるように原水と不活性ガスとが高速混合・分散することにより、不活性ガスで懸濁した気泡水が生成する。
【００２８】
第１気液混合器１０８の構造は、上下方向に延びる筒体内に泡分散要素１４４を配置したものであり、泡分散要素としては、ワイヤブラシやたわし等をブラシ状に配置するか、または金属たわしのような細長い金属片、任意の繊維片等を塊状にしたものを用いることができる。そして、第１気液混合器１０８の下方から不活性ガスと原水とを混合した状態で供給すると、不活性ガスの大きな泡が泡分散要素１４４間を通過するときに、小さな泡に分裂する過程で生じる渦流等の撹拌効果により気体と水とが急速に混合して筒体上部から懸濁気泡水が得られる。
【００２９】
このような高速混合・分散によって、原水中の酸素は不活性ガス気泡中に移動し(原理的には洗浄・抽出である)、第１気液混合器１０８は無酸素の懸濁気泡水を連続的に生成するとともに、この懸濁気泡水は気液分離器１１２に給水管を介して送り込まれる。
【００３０】
気液分離器１１２内には、第１気液混合器１０８から給水管を介して供給された懸濁気泡水が衝突して分散するように、その流路に対向するように衝突板１１４が配置されている。また、衝突板１１４は気液分離器１１２内の水面１１３より高い位置に配置されている。
【００３１】
さらに、気液分離器１１２内に貯留された懸濁気泡水から分離したガスを脱気するために、排気管を介して脱気ポンプ１１６が接続されている。脱気ポンプ１１６と気液分離器１１２との間の排気管には、電磁弁１１８が配置されており、気液分離器１１２内の圧力が制御可能である。なお、脱気ポンプ１１６に接続される排気管の吸気口は、水面１１３より上方に配置されている。さらに、気液分離器１１２内には、その内部で生成された無酸素水を外部に供給するために、水面１１３より下方に無酸素水供給口１２０が設けられている。
【００３２】
なお、この気液分離器１１２に替えて、気液を分離するサイクロン式気液分離装置１５０を2段又はそれ以上設けても良い。図６に示すように、サイクロン式気液分離装置１５０は、第１気液混合器１０８から給水管を介して懸濁気泡水が給水される円筒部１５１と、この円筒部１５１の下部と滑らかに接続される円錐部１５２と、円錐部１５２の下端に接続される管状部１５３と構成から構成される。
【００３３】
気泡水が給水管から円筒部１５１内面に供給されると、円筒部１５１内は給水管の断面積より十分に大きいため、気泡水は円筒部１５１内面に沿って一気に薄流層となり、懸濁気泡水中に含まれる気体は円筒部１５１内外に放出され、気体を放出した無酸素水は円筒部１５１内面及び円錐部１５２内面をサイクロン状（螺旋状）に流れて管状部１５３に貯留され、管状部１５３の下端を介して連続的に供給される。
【００３４】
従って、第１気液混合器１０８から気液分離器１１２に送り込まれた懸濁気泡水は、気液分離器１１２内の衝突板１１４に衝突することにより、密閉空間内で微粒状に飛散し、不純物である酸素を含んだ不活性ガス気泡が懸濁気泡水から瞬時に分離される。又は、第１気液混合器１０８内でサイクロン式気液分離装置１５０に送り込まれた懸濁気泡水は、瞬時に気液が分離される。次いで、分離したガスは脱気ポンプ１１６により気液分離器１１２の外に排気され、残った無酸素水が気液分離器１１２内に貯留される。さらに、この無酸素水は無酸素水供給口１２０を通じて、連続的に外部に供給される。
【００３５】
無酸素水供給口１２０は給水管を介して送水ポンプ１２２に接続されており、送水ポンプ１２２が無酸素水供給口１２０から無酸素水を吸引することにより、無酸素水が連続的に気液分離器１１２の外部に供給される。無酸素水供給口１２０と送水ポンプ１２２との間を接続する給水管には、無酸素水の水中酸素濃度（溶存酸素濃度）を測定するために、水中酸素濃度計１２４が接続されている。また、水中酸素濃度計１２４には電磁弁１２３が接続されている。水中酸素濃度の測定は、無酸素水の品質管理上必要であり、従って以下の操作・効果を妨げないばかりか工程管理上も望ましい。なお、気液分離器１１２で生成される無酸素水は、溶存酸素濃度が完全に零である必要はなく、コアへの影響が無視できる程度に溶存酸素濃度が低下していれば良い。
【００３６】
気液分離器１１２で生成された無酸素水は、送水ポンプ１２２により給水管を介して、第２気液混合器１２６に送り込まれる。なお、第２気液混合器１２６の構造は前記第１気液混合器１０８と同様のものである。
【００３７】
また、不活性ガスボンベ１２８が第２気液混合器１２６の外部に配置されており、不活性ガスボンベ１２８と第２気液混合器１２６とはガス供給管で接続されている。第２気液混合器１２６には、無酸素水の供給と同時に不活性ガスボンベ１２８からガス供給管を介して、不活性ガスが連続的に一定混合比率となるように供給される。従って、第２気液混合器１２６中は、無酸素水と不活性ガスとを高速混合・分散することにより、所定濃度の不活性ガスを含む懸濁気泡水を生成する。この懸濁気泡水は給水管を介して接続部Ａに送り込まれる。
【００３８】
なお、ボーリングを行う地層・深度・錐冠口径に応じて、円滑な掘進と高品質コア採取を可能にするために、無酸素水生成条件とは独立して任意の気液混合比率で(ボーリング機長の管理のもとで)、第２気液混合器１２６の外部に備えた不活性ガスボンベ１２８から、不活性ガスを連続的に一定混合比率で送り、第２気液混合器１２６中で高速混合・分散し、不活性ガスを懸濁した懸濁気泡水を生成して、掘削コア採取装置３００、密封仮包装部６００、コア取扱装置２００に送水することができる。
【００３９】
さらに、必要に応じて、気液分離器１１２で生成した無酸素水を、第２気液混合器１２６を経由することなく給水管１３０を介して、掘削コア採取装置３００、密封仮包装部６００、コア取扱装置２００に送水することもできる。この場合には、図２において、送水ポンプ１２２から第２気液混合器１２６に無酸素水を供給する給水管の電磁弁１２７を閉鎖し、直接、送水ポンプ１２２から無酸素水を供給するために給水管１３０に設けられた電磁弁１３２が開放され、接続部Ａに無酸素水が供給される。この無酸素水は接続部Ａを介して掘削コア採取装置３００、密封仮包装部６００、コア取扱装置２００等に給水される。
【００４０】
次に、本発明の懸濁気泡水生成装置１００の動作を説明する。原水タンク１０２から供給された地下水、又は、表層水やむを得ない場合の水道水は、第１気液混合器１０８内で、不活性ガスと混合することで、水中に泡として存在または溶存している酸素が押し出される(物理的には酸素が不活性ガスによって抽出される)ことによって、共に泡の状態の懸濁気泡水となる。この懸濁気泡水は衝突板１１４付きの気液分離器１１２に送られる。
【００４１】
〔脱気工程〕
第１気液混合器１０８から気液分離器１１２内に供給された懸濁気泡水は気液分離器１１２内で衝突板１１４にあたり微粒として粉砕され、さらに急激に体積が膨張するので、混合水に懸濁または溶存している酸素等の気体が懸濁気泡水から分離され、自然にしかも高速で水中酸素濃度が無酸素状態の無酸素水となる。同時にこの気液分離器１１２は送・受水量の調節を行う緩衝作用をもたらす密閉空間の機能も有する。
【００４２】
その後、分離した気体は脱気ポンプ１１６によって気液分離器１１２の外部へ速やかに脱気される。また気体が分離した水は無酸素水となって、送水ポンプ１２２により第２気液混合器１２６に供給され、任意量の不活性ガス気泡を混合することにより不活性ガスを懸濁した懸濁気泡水となって、掘削コア採取装置３００等に供給され、脱酸素環境下でコアをサンプリングするためのボーリングが可能となる。
【００４３】
上述のように、第１気液混合器１０８と気液分離器１１２と第２気液混合器１２６との組合せの下では、気液分離器１１２により無酸素水中の溶存酸素量を任意の濃度(事実上の無酸素状態)まで高速かつ効率良く低下できるために、掘進条件とは独立して、不活性ガス混合量を選定・管理することができ、さらに、第２気液混合器１２６においてこの無酸素水を加工して、任意の不活性ガス混合比を有する清水乃至懸濁気泡水を生成することも可能となる。
〔コア採取システム〕
掘削コア採取装置３００は、図３（ａ）または図３（ｂ）に示す構造を備えている。図３（ａ）に示すダブルコアチューブ式３８２の構造を備えた掘削コア採取装置300では、アウターチューブ３４０と、アウターチューブ３４０の内側下端に設けられたインナーチューブ(ダブルコアチューブ式)３８６と、インナーチューブ３８６の内側下端に設けられ、その内側にコアを収納することができる内蔵包装部３６１とを備えている。ダブルコアチューブ式３８２の場合にはアウターチューブ３４０が回転部３４５に接続されており、該回転部３４５によりアウターチューブ３４０は回転駆動することができる。なお、内蔵包装部３６１は、採取されたコアを包装保護することができるものであり、内蔵包装部３６１としては、例えば、ビニルスリーブやアクリル管などを用いることができる。
【００４４】
掘削時には、懸濁気泡水を供給ポンプにより圧力をかけた状態で、掘削水供給ノズル３５５からロッド３８８内に供給する。図３（a）中、矢印で示すように、懸濁気泡水はロッド３８８の上端に接続された掘削水供給ノズル３５５を内蔵する回転部３４５からロッド３８８内に供給され、インナーチューブ３８６とアウターチューブ３４０の内壁との間を通った後、錐冠３３７を介してアウターチューブ３４０の外側へ回り込み、アウターチューブ３４０の外面に沿って上昇し、最終的にスライムとともに地上へ排出される。なお、掘削水供給ノズル３５５の給水管は、図２の接続部Ａに接続され、第２気液混合器１２６で生成した懸濁気泡水、または、必要に応じ給水管１３０を介して気液分離器１１２で生成した無酸素水が供給される。
【００４５】
このため懸濁気泡水の自動スライム排除機能により円滑な掘進が可能となるとともに、図４に示すように錐冠先端部において適度の気泡が発生して、錐冠３３７を冷却する。また掘削とともに発生するスライムを気泡に付着させて排出することも可能となる。さらに、第２気液混合器１２６により、懸濁気泡水に含まれる不活性ガスの混合比を制御することが可能であるため、掘削深度に応じて適切な混合比で不活性ガスが混合された懸濁気泡水を錐冠先端に供給することが可能となる。不活性ガスの混合比を変更する理由は、掘削深度に応じて錐冠３３７先端部の雰囲気圧が異なるため、錐冠３３７先端部における適切な懸濁気泡発生条件とするためである。
【００４６】
なお、図3(ａ)に示すように、掘進に伴う表層水の孔内浸入による汚染や、軟岩の孔壁保護のために、必要に応じてケーシング３８０を地表から挿入する。
一方、図３（ｂ）に示す三重管式を適用した掘削コア採取装置３００は、先端に錐冠３３７を有し回転可能なインナーチューブ（三重管式）３３９と、該インナーチューブ（三重管式）３３９の外側に位置し先端にアウターチューブ錐冠３３８を備えるアウターチューブ３４１と、インナーチューブ（三重管式）３３９の内側下端に設けられたコアケースチューブ３４３と、コアケースチューブ３４３の内側下端に設けられ、その内側にコアを収納することができる内蔵包装部３６１（図４参照）とを備えている。
【００４７】
図４の拡大図に示すように、ダブルコアチューブ式と同様に先端部に（ボーリング孔底面に接するように）錐冠を有しており、図４は懸濁気泡水を供給しているときの様子を示している。内蔵包装部３６１は、採取されたコアを包装保存することができるものであり、内蔵包装部３６１としては、例えば、ビニルスリーブやアクリル管などを用いることができる。
【００４８】
さらに図３（b）において、インナーチューブ（三重管式）３３９及びアウターチューブ３４１には回転部３４５が接続されており、該回転部３４５はインナーチューブ（三重管式）３３９及びアウターチューブ３４１を回転駆動する作用とともに、必要に応じて錐冠３３７、アウターチューブ付錐冠３３８に振動を付与する作用を併せ持つ。このような構造により錐冠３３７に振動を加えながらインナーチューブ（三重管式）３３９及びアウターチューブ３４１を回転駆動することができる。この場合、錐冠の回転数を変更する工程を備えるようにしてもよい。
【００４９】
従来、後者の方法でコアサンプリングしようとすると、振動によりコアの緩みや締堅めが生じ、コア鑑定や物性試験のための良好なコアサンプルを入手することが困難であったが、本発明では上述したような懸濁気泡水をインナーチューブ（三重管式）３３９とアウターチューブ３４３との間から錐冠３３７に導入するため、懸濁気泡水の自動スライム排除機能によりコアの緩みや締堅めが生じず、その結果、微粒分の流失や地質構造を反映した良好なコアサンプルを採取することが可能となる。
【００５０】
さらに、不活性ガスの混合比について具体的に説明する。図５は、岩種と掘削深度に応じた不活性ガスで懸濁した気泡水中のガス／水容積比を示している。横軸に掘削深度、縦軸に常温常圧に換算した場合のガス／水容積比を表したものである。
【００５１】
図５に示すように、掘削される土質や岩種、掘削深度により、異なる比率が適用される。例えば、未固結乃至半固結の土質・岩種ではガス量を絞り、コアの撹乱や流失を押えるようにする。一方、新鮮で(風化していないこと)固結の程度が高い岩種では、ガス量を大きくしてスライムの排除を促進し、掘進速度を大きくすることが好ましい。なお、図５はマッドチューブ（セジメンタルチューブ）を使用していない場合であるが、マッドチューブを使用する場合には、掘削の際に生じるスライムをマッドチューブにより除去できるため添加するガス量を少なくすることができる。
【００５２】
本発明に用いる自走式ロータリーパーカッションの掘削コア採取装置３００を図７に示す。図７に示すように、コアケースチューブ３４３の上端にはヘッド３４７が形成されており、該ヘッド３４７には把持部３４９が形成されている。掘削コア採取装置３００上部に設けられた吊上機構３５１から延びるワイヤ３５３の先端に接続されたラッチ３４８で把持部３４９を把持することで、コアの入った包装部３６１を備えたコアケースチューブ３４３を吊り上げて採取することができる。また、この掘削コア採取装置３００は、自走式であるため走行部３３６を備えている。
【００５３】
図７の（ａ）、（ｂ）、（ｃ）は、２重管式を適用してコアサンプルを採取する様子を段階的に示している。まず図７（ａ）に示すように、従来の方法によりアウターチューブ３４０を回転させることにより錐冠３３７の掘削作用により所定深さの孔を掘削する。サンプリングする深さまで掘削したら、包装部３６１を備えたコアケースチューブ３４３をアウターチューブ３４０内に入れ込み、図７（ｂ）に示すようにアウターチューブ３４０を継ぎ足して、その上端に駆動部３４５を接続する。
【００５４】
この状態でアウターチューブ３４０を再び駆動させて更に深く掘削する。このとき混合水供給ポンプ３３５により懸濁気泡水を圧力を掛けた状態で泡水供給ノズル３５５からアウターチューブ３４０内に供給する。図３（ａ）中、矢印で示すように、懸濁気泡水はアウターチューブ３４０の上端に接続された泡水供給ノズル３５５からアウターチューブ３４０内に供給され、コアケースチューブ３４３とアウターチューブ３４０の内壁との間を通った後、錐冠３３７を介してアウターチューブ３４０の外側へ回り込み、アウターチューブ３４０の外面に沿って上昇し、最終的に地上へ排出される。
【００５５】
このため懸濁気泡水の潤滑性により円滑な掘進が可能となるとともに、図４に示すようにビット先端部において適度の気泡を発生して、錐冠を冷却する。また掘削とともに発生するスライムを気泡に付着させて排出することも可能となる。なお、以上の掘削時には、作業性を向上させるためビット３３７に振動を付与するようにしてもよい。
【００５６】
この掘削中に、コアケースチューブ３４３内に備えられた包装部３６１内にはコアが入り込む。コアは、包装部３６１内に大気から隔離された状態で包装されて採取されるため、酸素に触れることはない。また懸濁気泡水は、コアに対して窒素等の不活性ガスにより泡が形成されているので、懸濁気泡水の存在によりコアが酸素汚染されることもない。次に図７（ｃ）に示すように、コアケースチューブ３４３の把持部３４９をワイヤ３５３の先端に設けられたラッチ３４８で把持し、コアケースチューブ３４３を吊り上げて包装部３６１内に採取されたコアを回収する。
【００５７】
以上は二重管式を適用した場合の説明であるが、三重管式を適用した場合には、懸濁気泡水はインナーチューブ３３９の上端に接続された泡水供給ノズル３５５からインナーチューブ３３９内へ圧入され、コアケースチューブ３４３とインナーチューブ３３９の内壁との間を通った後、錐冠３３７を介してインナーチューブ３３９の外面とアウターチューブ３４１の外面との間を通って上昇し、最終的に地上へ排出される。
【００５８】
この様にして連続的に生成する懸濁気泡水を掘削コア採取装置３００頂部のスイベルヘッド３６０（図１）から供給し、地層の表層から地下深部に至るまで、ほぼ一定の送水圧・送水量・掘進速度で掘進するとともに、従来コア箱に収納されるコアに比較してコアの緩みや微粒分流失が殆ど無いような 高品質のコアを高収率で得られるようになる。
【００５９】
さらに、懸濁気泡水生成装置１００で生成された懸濁気泡水または無酸素水を、密封仮包装部６００に送って用いることにより、採取されたビニルスリーブ入りコアについて、一切空気に触れさせること無くコア取扱装置２００に、気密仮包装状態のコアを供給することが可能となる。
【００６０】
本発明では、地質条件の変化や超深部コア採取あるいは大口径コア採取等の掘進条件に最適な混合比の不活性ガスで懸濁した懸濁気泡水または懸濁されていない無酸素水（清水）を、前記無酸素水生成条件達成のための不活性ガス量から独立させて瞬時に調節・切替えることが可能になるので、礫を含む粘性土や破砕帯を含む硬質岩で、大乃至小口径ボーリング、浅乃至大深度ボーリングでも、無酸素水を迅速に流量あるいは不活性ガス混合比を同一装置で切替えて、高品質コアの採取が可能となる。なお、本発明に用いる掘削コア採取装置３００においては、土質・岩質、錘冠に振動を与えるか否かを判断し、錘冠の種類すなわちメタルクラウンとダイヤモンドビットの随時取替えも可能である。
【００６１】
このようにして、地質の変化等の緊急時には、無酸素水生成のための不活性ガス量とは独立に対応可能であるばかりでなく、懸濁気泡水を使用した掘進・コア採取工法から、同一機器を使用したまま、瞬時に無酸素清水掘削工法に転換できるとの利点がある。
【００６２】
また、本発明のコア採取ボーリングシステムでは、深部掘進のためのワイヤライン工法にも使用可能であるが、一般的サイズの供試体を用いる室内試験用試料を得るためには通常工法に使用される小口径(例えばφ66mm乃至φ86mm)の錐冠に切替える必要があるが、一台のボーリングマシンにより、いかなる工法との切替えもでき、高品質オールコア採取乃至高速掘進工法間の切替えを迅速かつ円滑に遂行可能にする。
【００６３】
また、本発明のコア採取ボーリングシステムでは、深部掘進あるいは泥濘化しやすい地層における円滑な掘進と高品質コア採取を可能ならしめるために、ダイヤモンドビットまたはメタルクラウンの直上にリーマーを備えた回転可能な管状のコアチューブの使用、あるいはその上部にマッドチューブ(セジメントチューブともいう)を使用することもできる。これらを使用することにより、本発明における懸濁気泡水による自動スライム排除機能が強化される。なお、本実施の形態で用いる不活性ガスは、窒素あるいはアルゴン、微量水素入りのアルゴンの少なくとも一つとすることができる。
【００６４】
さらに、懸濁気泡水あるいは無酸素水生成のための原水として、原則として原位置における対応地層の地下水を使用することが望まれる。本願発明を微生物探査・試験に活用するためには、原位置における対応地層の地下水を瞬間的加熱により減菌し、原水として使用することが望ましい。さらに、本願発明を原水について、微生物探査・試験に活用するためには、世界初の厳密な操作条件であるが、殺菌条件の蒸留水(過マンガン酸カリ共存で蒸留)を使用することが望まれる。
【図面の簡単な説明】
【００６５】
【図１】本発明の懸濁気泡水コア採取ボーリングシステムの全体構成を示す概略図である。
【図２】本発明の懸濁気泡水生成装置を示す構成図である。
【図３】本発明の掘削コア採取装置に適用される無酸素水の流通経路に関し、（ａ）はダブルコアチューブ式の説明図、（ｂ）は三重管式の説明図である。
【図４】本発明の掘削コア採取装置に用いる錐冠周辺の拡大図である。
【図５】本発明の懸濁気泡水中の不活性ガスと水との容積比を示す説明図である。
【図６】本発明に用いるサイクロン式気液分離装置を示す説明図である。
【図７】本発明に用いる自走式ロータリーパーカッション型の掘削コア採取装置によるコア採取工程を示す説明図である。
【符号の説明】
【００６６】
１００  懸濁気泡水生成装置
２００  コア取扱装置
３００  掘削コア採取装置
４００  三次元加圧保存用セル
５００  無酸素コア加工ボックス
１０２  原水タンク
１０４  送水ポンプ
１０８  第１気液混合器
１１０  不活性ガスボンベ
１１２  気液分離器
１１４  衝突材
１１６  脱気ポンプ（脱気装置）
１２２  送水ポンプ
１２４  水中酸素濃度計
１２６  第２気液混合器
１２８  不活性ガスボンベ
１４１  第１懸濁気泡水
１４２  第２懸濁気泡水
１４３  無酸素水
１４４  第１泡分散要素
１４５  第２泡分散要素
１５０  サイクロン式気液分離装置
３３７  錐冠
３３８  錐冠付アウターチューブ（三重管式）
３３９  インナーチューブ（三重管式）
３４０  アウターチューブ（ダブルコアチューブ式あるいはワイヤーライン式）
３４１  アウターチューブ（三重管式）
３４３  コアケースチューブ
３４５  回転部
３５５  掘削水供給ノズル
３６１  内蔵包装部(ビニルスリーブ)
３８０  ケーシング（ダブルコアチューブ式あるいはワイヤーライン式）
３８２  ダブルコアチューブ式
３８４  コア
３８６  インナーチューブ(ダブルコアチューブ式あるいはワイヤーライン式)
３８８  ロッド
【図１】
2006070619.tif 000003
【図２】
2006070619.tif 000004
【図３】
2006070619.tif 000005
【図４】
2006070619.tif 000006
【図５】
2006070619.tif 000007
【図６】
2006070619.tif 000008
【図７】
2006070619.tif 000009